(57)【要約】      （修正有）【課題】短時間で、簡単、正確に感度差異を補正して精度の高い測定を可能とする異音測定ツールを提供する。【解決手段】異音測定ツールと一体または別体で構成され、所定の周波数、大きさを有する音、または振動を発する基準信号源、センサーユニットの出力信号を利得設定してＡ／Ｄ変換回路に入力する増幅回路、ならびに，Ａ／Ｄ変換の入力レベルを表示する表示機能を備え、センサーユニットが基準信号源から得る信号を所定のレベルでＡ／Ｄ変換回路に入力すべく増幅回路の利得を設定することにより、短時間で、簡単、正確に、センサーユニットの感度差異を補正して精度の高い測定を可能とする、異音測定ツールである。【選択図】図１
0003150446.tif 000002
【実用新案登録請求の範囲】
【請求項１】
マイクなどのセンサーを装着したセンサーユニットにより被測定機器の異音や周囲騒音をピックアップし，増幅回路により所要増幅してＡ／Ｄ変換によりデジタル信号化し，高速フーリエ変換（ＦＴＴ）により周波数スペクトラム変換して分析処理する異音測定ツールにおいて，センサーユニットごとに個別の感度補正手段は備えず，所定の周波数，大きさを有する音，または振動を発する基準信号源，センサーユニットの出力信号を利得設定してＡ／Ｄ変換回路に入力する増幅回路，ならびに，Ａ／Ｄ変換の入力レベルを表示する表示機能を備え，異音測定ツールに装着したセンサーユニットが基準信号源からピックアップする信号を，増幅回路の利得を調節して，所定レベルでＡ／Ｄ変換に入力する設定を行うことにより，任意のセンサーユニットに対して，短時間で，簡単，正確に，感度差異を補正して精度の高い測定を可能とする，異音測定ツール。
【請求項２】
所定の周波数，大きさの音，または振動を発する基準信号源を，異音測定ツールと分離構成する，請求項１に記載する異音測定ツール。
【請求項３】
所定の周波数，大きさの音，または振動を発する基準信号源を，異音測定ツールに着脱自在に構成する，請求項１に記載する異音測定ツール。
【考案の詳細な説明】
【技術分野】
【０００１】センサーユニットごとに個別の感度補正手段は備えず，所定の周波数，大きさを有する音，または振動を発する基準信号源，センサーユニットの出力信号を利得設定してＡ／Ｄ変換回路に入力する増幅回路，ならびに，Ａ／Ｄ変換の入力レベルを表示する表示機能を備え，異音測定ツールに装着したセンサーユニットが基準信号源からピックアップする信号を，増幅回路の利得を調節して，所定レベルでＡ／Ｄ変換に入力する設定を行うことにより，任意のセンサーユニットに対して，短時間で，簡単，正確に，感度差異を補正して精度の高い測定を可能とする，異音測定ツール。
【背景技術】
【０００２】電気機器の動作が正常であるか否かの判断の一つとして，動作時の異音検出が種々実用化されている。電気機器では，ハードディスク，コンパクトディスク，ファン，ソレノイド，電源などから発する異音や，磁気テープ，用紙走行などで生ずる擦れによる異音など数多くの異音が発生し，許容範囲を越えた場合は極めて不快であるとともに，機器に何らかの不具合が発生している場合が多い。発生している異音が正常な範囲であるか否かは，熟練した作業者が直接耳で聞いて判断する場合が多いが，近年では，加速度センサー，マイクなどのセンサーユニットを用いてピックアップされる信号をＡ／Ｄ変換，高速フーリエ変換して分析，処理する方法が各種実用化されているが，生産工程などでは複数のセンサーユニットを使用して異音の測定を行う場合が多く，個々のセンサーユニットの感度のバラつきを補正することが必要である。一般的には，センサーと感度補正増幅回路を一対でユニット構成して，センサーユニットの感度差異を利得調整により補正して出荷している。しかしこの構成では，センサーと感度補正増幅回路は対で構成されるため分離出来ず，高コスト，大サイズになるとともに，万一感度差異が生じても，確認，設定の基準となる音源も無く，短時間で，簡単，正確に再設定を行うことは困難である。
【考案が解決しようとする課題】
【０００３】異音測定ツールでは，マイクや加速度センサーなどのセンサーを，集音ピースに組み込んでセンサーユニットを構成するが，センサー自体や集音ピースへの組み込み方などによる感度差異により測定誤差が生じ易い。また，生産工程などでは複数のセンサーユニットを使用して異音の測定，比較を行う場合が多く，使用するセンサーユニットの個々の感度差異は測定誤差の最大の要因となる。このため，任意のセンサーユニットを，短時間で，簡単，正確に感度差異の確認，補正を行えることが，最大の課題となっている。
【課題を解決するための手段】
【０００４】異音測定ツールと一体または別体で構成され，所定の周波数，大きさを有する音，または振動を発する基準信号源，センサーユニットの出力信号を利得設定してＡ／Ｄ変換回路に入力する増幅回路，ならびに，Ａ／Ｄ変換の入力レベルを表示する表示機能を備え，センサーユニットが基準信号源から得る信号を所定のレベルでＡ／Ｄ変換回路に入力すべく増幅回路の利得を設定することにより，短時間で，簡単，正確に，センサーユニットの感度差異を補正して精度の高い測定を可能とする，異音測定ツール。
【考案の効果】
【０００５】センサーユニットは個別の感度補正手段は備えず，集音ピースとセンサーで構成するため，極めて小型，低コストで実現されるとともに，センサーユニットの感度差異は，所定の周波数，大きさを有する音，または振動を発する基準信号源を用いてセンサーユニットごとに測定，比較を行い，最適に補正することが出来るため，異音の測定に際しては，任意のセンサーユニットを自由に使用することが可能であり，短時間で，簡単，正確に，センサーの感度差異を補正して精度の高い測定を可能とする，異音測定ツールが実現される。
【考案を実施するための形態】
【０００６】図１は本考案による異音測定ツールの回路構成概略図を示す。１は異音測定ツール本体，３はセンサーユニットを示す。４はマイク，加速度センサーなど異音を検出するセンサーを示し，センサーユニットの出力信号を主増幅回路６で所要増幅し，Ａ／Ｄ変換回路７でデジタル変換し，高速フーリエ変換回路８でスペクトラム変換し，分析処理回９で処理を行い，結果を表示機能１０に表示する。図２はセンサーユニット２が，センサー４と感度補正増幅回路５で構成されている点が図１と相違しており，従来から一般的に使用されている構成である。
【０００７】図２の構成は，センサーユニットの感度補正を感度補正増幅回路５の利得調整により行うため，センサーユニットの調整，検査が必要であり，調整後はセンサー４と感度補正増幅回路５とは一体で切り離すことが出来ない。さらに，部品点数が多くコスト高になるとともに，形状も大きく，センサー単体でセンサーユニットが構成される図１と比較して大きく劣る。図１の構成では，センサーユニット３はセンサー４を集音ピースに装着する単純な構成であり，任意のセンサーユニットに交換した場合は，センサーユニットが基準信号源から受ける信号を異音測定ツール本体１に構成される主増幅回路６でＡ／Ｄ変換の入力が所定レベルとなるように利得設定を行えば良い。Ａ／Ｄ変換の入力レベルは，Ａ／Ｄ変換回路７のデジタル出力１１をＬＣＤなどの表示機能１０で表示して確認する。
【０００８】図３は基準音源１９の回路構成概略図を示し，所定の周波数の正弦波発生回路１４の出力をスピーカー増幅回路１３で増幅し，スピーカー１２から基準音を発し，ピース１６，マイク１７で構成されるセンサーユニットで集音し，ケーブル１８で異音測定ツール本体に接続する。図４は図３の構成概念図を示し，基準信号源１９は異音測定ツール本体とは分離され，電池１５で携帯可能に構成されるため，各所に設置して使用される異音測定ツール本体の近傍に持っていって，必要な時に，センサーユニットの感度を確認，補正することが出来る。基準信号源を異音測定ツール本体とは切り離さずに，一体構成することも，着脱構成にすることも出来る。このように，異音測定ツール本体に任意のセンサーユニットを装着して，短時間で，簡単，正確に，センサー感度差異を補正することにより異音の測定誤差を防ぐことが出来るとともに，異音測定ツールとして基本的に備える表示機能などを最大活用し，かつ，最小コストで高精度な異音測定ツールが実現される。
【実施例】
【０００９】集音ピース１６は内面をエクスポネンシャルカーブで形成し，音の反射率が高い，高比重な真鍮で，高さ；３ｃｍ，底面径；Φ３ｃｍ，厚さ２ｍｍで形成し，センサー１７はコンデンサーマイクを使用した。スピーカー１２は径３５ｍｍ，標準周波数は１．５ＫＨｚ，音量は６０ｄＢに設定した。基準信号源１９は縦×横×高＝６０×６０×５０ｍｍサイズで構成した。センサーとしては，マイクに限定されず，加速度センサーでも良く，ドーム形状の材質はステンレスなどの高比重材であれば良い。また，ＦＦＴ変換や演算処理，表示ツ−ルなどは個別にハード構成せずパソコンを利用しても良いとともに，基準信号源は正弦波，１．５ＫＨｚに限定されず，異音測定ツール本体と一体，分離，着脱など多様な構成が可能である。さらに，Ａ／Ｄ変換の入力レベルを表示する手段は，ＬＣＤ，ＬＥＤなど種々考えられるが，異音測定ツールで使用する表示機能を利用することが望ましい。また，基準信号源からの信号がＦＦＴ変換した結果がどのようにスペクトラム表示されるかを確認することによって，異音測定ツール全体の動作確認にも活用できる。各種の機能，構成，ディメンジョン，材質などに関しては，本実施例に限定されず，本考案の趣旨を逸脱しない範囲であれば，種々変形実施が可能である。
【図面の簡単な説明】
【００１０】
【図１】本考案による異音測定ツールの回路構成概略図を示す。
【図２】一般的な異音測定ツールの回路構成概略図を示す。
【図３】基準信号源の回路構成概略図を示す。
【図４】基準信号源の構成概念図を示す。
【符号の説明】  １  異音測定ツール本体
２  一般的なセンサーユニット
３  本考案に適用するセンサーユニット
４  センサー
５  感度補正増幅回路
６  主増幅回路
７  Ａ／Ｄ変換回路
８  ＦＴＴ
９  分析処理回路
１０  表示機能
１１  Ａ／Ｄデジタル出力
１２  スピーカー
１３  スピーカー増幅回路
１４  正弦波発生回路
１５  電池
１６  集音ピース
１７  マイク
１８  ケーブル
１９  基準信号源
【図１】
0003150446.tif 000003
【図２】
0003150446.tif 000004
【図３】
0003150446.tif 000005
【図４】
0003150446.tif 000006